(57)【特許請求の範囲】
【請求項１】
互いに対向する画素電極及び共通電極間に電気泳動粒子を含む電気泳動素子が夫々設けられた複数の画素を含む表示部を備えた電気泳動表示装置を駆動する電気泳動表示装置の駆動方法であって、
前記表示部に表示されている画像の書き換えを行う際、
前記共通電極に共通電位を供給し、且つ、前記複数の画素のうち第１階調を表示している画素であって前記書き換え後に前記第１階調と異なる第２階調を表示すべき第１画素における画素電極に前記第２階調に対応して設定された第２電位を供給すると共に前記複数の画素のうち前記第１画素を除く画素における画素電極に前記共通電位と同一の電位を供給する又はハイインピーダンス状態とすることで、前記表示部に表示されている画像を部分的に書き換える第１部分書換ステップと、
前記共通電極に共通電位を供給し、且つ、前記複数の画素のうち前記第２階調を表示している画素であって前記書き換え後に前記第１階調を表示すべき第２画素における画素電極に前記第１階調に対応して設定された第１電位を供給すると共に前記複数の画素のうち前記第２画素を除く画素における画素電極に前記共通電位と同一の電位を供給する又はハイインピーダンス状態とすることで、前記表示部に表示されている画像を部分的に書き換える第２部分書換ステップと
を含むことを特徴とする電気泳動表示装置の駆動方法。
【請求項２】
互いに対向する画素電極及び共通電極間に電気泳動粒子を含む電気泳動素子が夫々設けられた複数の画素を含む表示部を備えた電気泳動表示装置を駆動する電気泳動表示装置の駆動方法であって、
前記表示部の一部をなす部分領域に表示されている画像の書き換えを行う際、
前記共通電極に共通電位を供給し、且つ、前記部分領域に含まれる画素のうち第１階調を表示している画素であって前記書き換え後に前記第１階調と異なる第２階調を表示すべき第１画素及び前記部分領域に含まれる画素のうち前記第２階調を表示している画素であって前記書き換え後に前記第２階調を表示すべき第２画素の各々における画素電極に前記第２階調に対応して設定された第２電位を供給すると共に、前記複数の画素のうち前記第１画素及び前記第２画素を除く画素における画素電極に前記共通電位と同一の電位を供給する又はハイインピーダンス状態とすることで、前記部分領域に表示されている画像を部分的に書き換える第１部分書換ステップと、
前記共通電極に共通電位を供給し、且つ、前記部分領域に含まれる画素のうち前記第２階調を表示している画素であって前記書き換え後に前記第１階調を表示すべき第３画素及び前記部分領域に含まれる画素のうち前記第１階調を表示している画素であって前記書き換え後に前記第１階調を表示すべき第４画素の各々における画素電極に前記第１階調に対応して設定された第１電位を供給すると共に、前記複数の画素のうち前記第３画素及び前記第４画素を除く画素における画素電極に前記共通電位と同一の電位を供給する又はハイインピーダンス状態とすることで、前記部分領域に表示されている画像を部分的に書き換える第２部分書換ステップと
を含むことを特徴とする電気泳動表示装置の駆動方法。
【請求項３】
互いに対向する画素電極及び共通電極間に電気泳動粒子を含む電気泳動素子が夫々設けられた複数の画素を含む表示部を備えた電気泳動表示装置を駆動する電気泳動表示装置の駆動方法であって、
前記表示部の少なくとも一部をなす書換領域に表示されている画像の書き換えを行う際、
前記共通電極に共通電位を供給し、且つ、前記書換領域に含まれる画素のうち第１階調を表示している第１画素における画素電極に前記第１階調と異なる第２階調に対応して設定された第２電位を供給すると共に前記書換領域に含まれる画素のうち前記第１画素を除く画素における画素電極に前記共通電位と同一の電位を供給する又はハイインピーダンス状態とすることで、前記表示部に表示されている画像を部分的に書き換える第１部分書換ステップと、
前記共通電極に共通電位を供給し、且つ、前記書き換え後に前記第１階調を表示すべき第２画素における画素電極に前記第１階調に対応して設定された第１電位を供給すると共に前記複数の画素のうち前記第２画素を除く画素における画素電極に前記共通電位と同一の電位を供給する又はハイインピーダンス状態とすることで、前記表示部に表示されている画像を部分的に書き換える第２部分書換ステップと
を含むことを特徴とする電気泳動表示装置の駆動方法。
【請求項４】
前記第１及び第２部分書換ステップにおいて、前記表示部の前記書換領域を除く領域に含まれる画素における画素電極は、前記共通電位と同一の電位が供給される又はハイインピーダンス状態とされることを特徴とする請求項３に記載の電気泳動表示装置の駆動方法。
【請求項５】
請求項１から４のいずれか一項に記載の電気泳動表示装置の駆動方法によって駆動されることを特徴とする電気泳動表示装置。
【請求項６】
請求項５に記載の電気泳動表示装置を備えることを特徴とする電子機器。
【発明の詳細な説明】
【技術分野】
【０００１】
本発明は、電気泳動表示装置の駆動方法、電気泳動表示装置及び電子機器の技術分野に関する。
【背景技術】
【０００２】
この種の電気泳動表示装置は、複数の画素によって次のように表示を行う表示部を有する。各画素では、画素スイッチング素子を介してメモリ回路に画像信号を書き込んだ後、書き込まれた画像信号に応じた画素電位により画素電極が駆動され、共通電極との間に電位差が生じる。これによって画素電極及び共通電極間の電気泳動素子を駆動することにより表示を行う。例えば特許文献１には、メモリ回路としてＤＲＡＭ（Dynamic Random Access Memory）を夫々含む複数の画素を有する電気泳動表示装置が開示されている。
【０００３】
【特許文献１】特開２００３−８４３１４号公報
【発明の開示】
【発明が解決しようとする課題】
【０００４】
しかしながら、上述した技術においては、異なる画像を表示する際に、全ての画素電極及び共通電極間に電位差を生じさせることで画像を書き換えている。即ち、画像が部分的にしか変化しない場合であっても、複数の画素の全てにおける画素電極及び共通電極間に電圧を印加することにより画像全体を変化させている。このため、消費電力が高くなったり、電気泳動素子の劣化を早めてしまったりするおそれがあるという技術的問題点がある。また、同一階調が連続して書き込まれることによって、画質の低下を招いてしまうという技術的問題点がある。
【０００５】
本発明は、例えば上述した問題点に鑑みなされたものであり、消費電力及び劣化の低減を実現しつつ、高品質な画像を表示可能な電気泳動表示装置の駆動方法、電気泳動表示装置及び電子機器を提供することを課題の一つとする。また、画像書き換え時における画像劣化を抑制できる電気泳動表示装置の駆動方法、電気泳動表示装置及び電子機器を提供することを課題の一つとする。
【課題を解決するための手段】
【０００６】
本発明の第１の電気泳動表示装置の駆動方法は上記課題を解決するために、互いに対向する画素電極及び共通電極間に電気泳動粒子を含む電気泳動素子が夫々設けられた複数の画素を含む表示部を備えた電気泳動表示装置を駆動する電気泳動表示装置の駆動方法であって、前記表示部に表示されている画像の書き換えを行う際、前記共通電極に共通電位を供給し、且つ、前記複数の画素のうち第１階調を表示している画素であって前記書き換え後に前記第１階調と異なる第２階調を表示すべき第１画素における画素電極に前記第２階調に対応して設定された第２電位を供給すると共に前記複数の画素のうち前記第１画素を除く画素における画素電極に前記共通電位と同一の電位を供給する又はハイインピーダンス状態とすることで、前記表示部に表示されている画像を部分的に書き換える第１部分書換ステップと、前記共通電極に共通電位を供給し、且つ、前記複数の画素のうち前記第２階調を表示している画素であって前記書き換え後に前記第１階調を表示すべき第２画素における画素電極に前記第１階調に対応して設定された第１電位を供給すると共に前記複数の画素のうち前記第２画素を除く画素における画素電極に前記共通電位と同一の電位を供給する又はハイインピーダンス状態とすることで、前記表示部に表示されている画像を部分的に書き換える第２部分書換ステップとを含む。
【０００７】
本発明の第１の電気泳動表示装置の駆動方法によって駆動される電気泳動表示装置では、表示部に含まれる複数の画素の各々における画素電極及び共通電極の電位差に基づく電圧を印加することにより、画素電極及び共通電極間に設けられた電気泳動素子に含まれる電気泳動粒子を画素電極及び共通電極間で移動させることで、表示部に画像を表示させる。例えば、各画素では、例えば画像表示に先立って、メモリ回路に画素スイッチング素子を介して画像信号を供給して書き込まれる。続いて、画像信号に基づくメモリ回路の出力に応じて、スイッチ回路により画素電極をスイッチング制御して所定の画素電位を供給し、画像表示を行う。
【０００８】
本発明の駆動方法では、表示部に表示されている画像の書き換えを行う際、第１部分書換ステップにおいて、共通電極には共通電位が供給される。また、複数の画素のうち第１階調を表示している画素であって書き換え後に第１階調と異なる第２階調を表示すべき第１画素における画素電極には、第２階調に対応して設定された第２電位が供給される。そして、複数の画素のうち第１画素を除く画素における画素電極には、共通電位と同一の電位が供給される。
【０００９】
更に、第２部分書換ステップにおいては、第１部分書換ステップと同様に、共通電極には共通電位が供給される。また、複数の画素のうち第２階調を表示している画素であって書き換え後に第１階調を表示すべき第２画素における画素電極には、第１階調に対応して設定された第１電位が供給される。そして、複数の画素のうち第２画素を除く画素における画素電極には、共通電位と同一の電位が供給される。
【００１０】
具体的には、例えば第１階調を白、第２階調を黒とすると、先ず第１部分書換ステップにおいて、白から黒に書き換えられるべき第１画素には、黒を表示させるための第２電位が供給される。よって、第１画素は黒を表示するように書き換えられる。一方、第１画素以外の画素には、共通電極に供給される共通電位が供給される。よって、第１画素以外の画素に対応する画素電極及び共通電極間には電位差が発生しない。従って、表示される階調は変化しない。
【００１１】
続いて、第２部分書換ステップにおいて、黒から白に書き換えられるべき第２画素には、白を表示させるための第１電位が供給される。よって、第２画素は白を表示するように書き換えられる。一方、第２画素以外の画素には、共通電極に供給される共通電位が供給される。よって、第２画素以外の画素に対応する画素電極及び共通電極間には電位差が発生しない。従って、表示される階調は変化しない。
【００１２】
上述した第１部分書換ステップ及び第２部分書換ステップによれば、第１階調から第２階調へと書き換えられるべき第１画素及び第２階調から第１階調へと書き換えられるべき第２画素は、いずれも書き換えられるべき階調へと書き換えられる。また、第１画素及び第２画素以外の階調を維持すべき画素については、画素電極及び共通電極間に電位差が発生しないため、階調が変化されない。よって、表示部に表示されている画像は、確実に表示すべき画像へと書き換えられる。
【００１３】
尚、第１部分書換ステップ及び第２部分書換ステップにおいて、階調が変化しない画素における画素電極は、共通電位と同一の電位が供給されることに代えて、電気的に切断されたハイインピーダンス状態とされてもよい。即ち、第１部分書換ステップにおける複数の画素のうち第１画素を除く画素における画素電極及び第２部分書換ステップにおける複数の画素のうち第２画素を除く画素における画素電極は、夫々ハイインピーダンス状態とされてもよい。このようにすれば、上述した共通電位と同一の電位を供給する場合と同様に、階調を維持すべき画素における共通電極及び画素電極間に電位差を生じさせないようにすることが可能である。よって、表示されている階調を維持させることができる。
【００１４】
本発明では特に、上述したように、階調が変化するべき画素については画像が書き換えられ、階調が維持されるべき画素については画像が書き換えられない。即ち、画像の書き換えは部分的に行われる。よって、消費電力を低減することができると共に、各電極間に電位差が生じることに起因する表示部の劣化を低減することができる。また、階調が維持されるべき画素を書き換えることによって生じるちらつきや、キックバック（即ち、電位の供給を停止させた直後における階調の変化）によるコントラストの低下等も防止することができる。
【００１５】
本発明では更に、画素に同一階調を連続して書き込むことによって、同一階調間に差が生じてしまうことを防止できる。例えば、黒を表示していた画素に黒を書き込んだものと、白を表示させていた画素に黒を書き込んでいたものとでは、階調に差が生じてしまう場合がある。これに対し、本発明の駆動方法では、黒を表示していた画素に黒を書き込むことはないので上述したような階調間の差は発生しない。
【００１６】
加えて、画像の書き換えが、第１部分書換ステップ及び第２部分書換ステップの２ステップによって行われるため、第１階調の書き込み及び第２階調の書き込み回数を等しくできる。よって、例えば電気泳動素子の劣化を低減することが可能となる。但し、画像の書き換えが第１階調及び第２階調のいずれか一方の階調のみの書き換えで済む場合には、第１部分書換ステップ及び第２部分書換ステップの一方を省略することも可能である。
【００１７】
以上説明したように、本発明の第１の電気泳動表示装置の駆動方法によれば、表示する画像の部分的な書き換えを可能とすることで、消費電力及び劣化の低減を実現しつつ、高品質な画像を表示させることができる。
【００１８】
本発明の第２の電気泳動表示装置の駆動方法は上記課題を解決するために、互いに対向する画素電極及び共通電極間に電気泳動粒子を含む電気泳動素子が夫々設けられた複数の画素を含む表示部を備えた電気泳動表示装置を駆動する電気泳動表示装置の駆動方法であって、前記表示部の一部をなす部分領域に表示されている画像の書き換えを行う際、前記共通電極に共通電位を供給し、且つ、前記部分領域に含まれる画素のうち第１階調を表示している画素であって前記書き換え後に前記第１階調と異なる第２階調を表示すべき第１画素及び前記部分領域に含まれる画素のうち前記第２階調を表示している画素であって前記書き換え後に前記第２階調を表示すべき第２画素の各々における画素電極に前記第２階調に対応して設定された第２電位を供給すると共に、前記複数の画素のうち前記第１画素及び前記第２画素を除く画素における画素電極に前記共通電位と同一の電位を供給する又はハイインピーダンス状態とすることで、前記部分領域に表示されている画像を部分的に書き換える第１部分書換ステップと、前記共通電極に共通電位を供給し、且つ、前記部分領域に含まれる画素のうち前記第２階調を表示している画素であって前記書き換え後に前記第１階調を表示すべき第３画素及び前記部分領域に含まれる画素のうち前記第１階調を表示している画素であって前記書き換え後に前記第１階調を表示すべき第４画素の各々における画素電極に前記第１階調に対応して設定された第１電位を供給すると共に、前記複数の画素のうち前記第３画素及び前記第４画素を除く画素における画素電極に前記共通電位と同一の電位を供給する又はハイインピーダンス状態とすることで、前記部分領域に表示されている画像を部分的に書き換える第２部分書換ステップとを含む。
【００１９】
本発明の第２の電気泳動表示装置の駆動方法によれば、表示部の一部をなす部分領域に表示されている画像の書き換えを行う際、第１部分書換ステップにおいて、共通電極に共通電位が供給される。また、部分領域に含まれる画素のうち第１階調を表示している画素であって書き換え後に第１階調と異なる第２階調を表示すべき第１画素及び部分領域に含まれる画素のうち第２階調を表示している画素であって書き換え後に第２階調を表示すべき第２画素の各々における画素電極には、第２階調に対応して設定された第２電位が供給される。そして、複数の画素のうち第１画素及び第２画素を除く画素における画素電極には、共通電位と同一の電位が供給される。
【００２０】
更に、第２部分書換ステップにおいては、第１部分書換ステップ同様、共通電極には共通電位が供給される。また、部分領域に含まれる画素のうち第２階調を表示している画素であって書き換え後に第１階調を表示すべき第３画素及び部分領域に含まれる画素のうち第１階調を表示している画素であって書き換え後に第１階調を表示すべき第４画素の各々における画素電極には、第１階調に対応して設定された第１電位が供給される。そして、複数の画素のうち第３画素及び第４画素を除く画素における画素電極には、共通電位と同一の電位が供給される。
【００２１】
具体的には、例えば第１階調を白、第２階調を黒とすると、先ず第１部分書換ステップにおいて、部分領域中の白から黒に書き換えられるべき第１画素及び黒から黒に書き換えられるべき第２画素には、黒を表示させるための第２電位が供給される。よって、第１画素及び第２画素は黒を表示するように書き換えられる。一方、複数の画素のうち第１画素及び第２画素を除く画素における画素電極には、共通電極に供給される共通電位が供給される。即ち、部分領域中の第１画素及び第２画素を除く画素及び部分領域外の画素には、共通電位が供給される。よって、これらの画素に対応する画素電極及び共通電極間には電位差が発生しない。従って、表示される階調は変化しない。
【００２２】
続いて、第２部分書換ステップにおいては、部分領域中の黒から白に書き換えられるべき第３画素及び白から白に書き換えられるべき第４画素には、白を表示させるための第１電位が供給される。よって、第３画素及び第４画素は白を表示するように書き換えられる。一方、複数の画素のうち第３画素及び第４画素を除く画素における画素電極には、共通電極に供給される共通電位が供給される。即ち、部分領域中の第３画素及び第４画素を除く画素及び部分領域外の画素には、共通電位が供給される。よって、これらの画素に対応する画素電極及び共通電極間には電位差が発生しない。従って、表示される階調は変化しない。
【００２３】
上述した第１部分書換ステップ及び第２部分書換ステップによれば、部分領域における第２階調へと書き換えられるべき第１画素及び第２画素、並びに第１階調へと書き換えられるべき第３画素及び第４画素は、いずれも書き換えられるべき階調へと書き換えられる。また、部分領域の外に位置する画素については、画素電極及び共通電極間に電位差が発生しないため、階調が変化されない。よって、部分領域に表示されている画像を部分的に書き換えることができる。部分領域は、例えば表示部における書き換えが比較的多い領域として予め設定されている。また部分領域の形状は特に限定されないが、典型的には矩形の領域として設定される。
【００２４】
尚、第１部分書換ステップ及び第２部分書換ステップにおいて、階調が変化しない画素における画素電極は、共通電位と同一の電位が供給されることに代えて、電気的に切断されたハイインピーダンス状態とされてもよい。即ち、第１部分書換ステップにおける複数の画素のうち第１画素及び第２画素を除く画素における画素電極及び第２部分書換ステップにおける複数の画素のうち第３画素及び第４画素を除く画素における画素電極は、夫々ハイインピーダンス状態とされてもよい。このようにすれば、上述した共通電位と同一の電位を供給する場合と同様に、階調を維持すべき画素における共通電極及び画素電極間に電位差を生じさせないようにすることが可能である。よって、表示されている階調を維持させることができる。
【００２５】
本発明では特に、上述したように、部分領域内の画素については画像が書き換えられ、部分領域外の画素については画像が書き換えられない。つまり、書き換えるべき画像が含まれる部分領域内の画素についてのみ画素電極及び共通電極間に電圧を印加し、部分領域外の画素については電圧を印加しない。よって、消費電力を低減することができると共に、各電極間に電位差が生じることに起因する表示部の劣化を低減することができる。また、階調が維持されるべき画素を書き換えることによって生じるちらつきや、キックバック（即ち、電位の供給を停止させた直後における階調の変化）によるコントラストの低下等も防止することができる。
【００２６】
本発明では更に、部分領域外において、画素に同一階調を連続して書き込むことによって、同一階調間に差が生じてしまうことを防止できる。例えば、黒を表示していた画素に黒を書き込んだものと、白を表示させていた画素に黒を書き込んでいたものとでは、階調に差が生じてしまう場合がある。これに対し、本発明の駆動方法では、部分領域外において黒を表示していた画素に黒を書き込むことはないので上述したような階調間の差は発生しない。
【００２７】
加えて、画像の書き換えが、第１部分書換ステップ及び第２部分書換ステップの２ステップによって行われるため、第１階調の書き込み及び第２階調の書き込み回数を等しくできる。よって、例えば電気泳動素子の劣化を低減することが可能となる。但し、画像の書き換えが第１階調及び第２階調のいずれか一方の階調のみの書き換えで済む場合には、第１部分書換ステップ及び第２部分書換ステップの一方を省略することも可能である。
【００２８】
以上説明したように、本発明の第２の電気泳動表示装置の駆動方法によれば、表示する画像の部分的な書き換えを可能とすることで、消費電力及び劣化の低減を実現しつつ、高品質な画像を表示させることができる。
【００２９】
本発明の第３の電気泳動表示装置の駆動方法は上記課題を解決するために、互いに対向する画素電極及び共通電極間に電気泳動粒子を含む電気泳動素子が夫々設けられた複数の画素を含む表示部を備えた電気泳動表示装置を駆動する電気泳動表示装置の駆動方法であって、前記表示部の少なくとも一部をなす書換領域に表示されている画像の書き換えを行う際、前記共通電極に共通電位を供給し、且つ、前記書換領域に含まれる画素のうち第１階調を表示している第１画素における画素電極に前記第１階調と異なる第２階調に対応して設定された第２電位を供給すると共に前記書換領域に含まれる画素のうち前記第１画素を除く画素における画素電極に前記共通電位と同一の電位を供給する又はハイインピーダンス状態とすることで、前記表示部に表示されている画像を部分的に書き換える第１部分書換ステップと、前記共通電極に共通電位を供給し、且つ、前記書き換え後に前記第１階調を表示すべき第２画素における画素電極に前記第１階調に対応して設定された第１電位を供給すると共に前記複数の画素のうち前記第２画素を除く画素における画素電極に前記共通電位と同一の電位を供給する又はハイインピーダンス状態とすることで、前記表示部に表示されている画像を部分的に書き換える第２部分書換ステップとを含む。
【００３０】
本発明の第３の電気泳動表示装置の駆動方法によれば、表示部の少なくとも一部をなす書換領域に表示されている画像の書き換えを行う際、第１部分書換ステップにおいて、共通電極に共通電位が供給される。また、書換領域に含まれる画素のうち第１階調を表示している第１画素における画素電極には、第２階調に対応して設定された第２電位が供給される。尚、ここでの「書換領域」とは、画像を書き換える際に便宜的に設定される領域（典型的には矩形状の領域）であり、階調が変化させられる画素（即ち、画像が書き換えられる領域）を含む領域として設定される。但し、書換領域は、階調が変化させられない画素（即ち、画像が書き換えられない領域）を含むものであってもよい。また、表示部における全ての領域が書換領域とされてもよい。
【００３１】
続いて、第２部分書換ステップにおいては、第１部分書換ステップ同様、共通電極には共通電位が供給される。また、書換領域に含まれる画素のうち書き換え後に第１階調を表示すべき第２画素における画素電極には、第１階調に対応して設定された第１電位が供給される。尚、第１画素及び第２画素には、同じ画素が重複して含まれる場合がある。
【００３２】
上述した第１部分書換ステップ及び第２部分書換ステップによれば、書換領域に含まれる画素のうち第１階調を表示している第１画素が第２階調へと書き換えられた後に、書き換え後に第１階調を示すべき第２画素が第１階調へと書き換えられるため、階調が変化されるべき画素の階調が確実に変化される。他方で、第１画素及び第２画素のいずれにも含まれない画素については、画素電極及び共通電極間に電位差が発生しないため、階調が変化されない。よって、書換領域に表示されている画像を部分的に書き換えることができる。
【００３３】
尚、第１部分書換ステップ及び第２部分書換ステップにおいて、階調が変化しない画素における画素電極は、共通電位と同一の電位が供給されることに代えて、電気的に切断されたハイインピーダンス状態とされてもよい。即ち、第１部分書換ステップにおける第１画素を除く画素の画素電極及び第２部分書換ステップにおける第２画素を除く画素の画素電極は、夫々ハイインピーダンス状態とされてもよい。このようにすれば、上述した共通電位と同一の電位を供給する場合と同様に、階調を維持すべき画素における共通電極及び画素電極間に電位差を生じさせないようにすることが可能である。よって、表示されている階調を維持させることができる。
【００３４】
本発明では特に、上述したように、階調が変化するべき画素については画像が書き換えられ、階調が維持されるべき画素については画像が書き換えられない。即ち、画像の書き換えは部分的に行われる。よって、消費電力を低減することができると共に、各電極間に電位差が生じることに起因する表示部の劣化を低減することができる。また、階調が維持されるべき画素を書き換えることによって生じるちらつきや、キックバック（即ち、電位の供給を停止させた直後における階調の変化）によるコントラストの低下等も防止することができる。
【００３５】
本発明では更に、画素に同一階調を連続して書き込むことによって、同一階調間に差が生じてしまうことを防止できる。例えば、黒を表示していた画素に黒を書き込んだものと、白を表示させていた画素に黒を書き込んでいたものとでは、階調に差が生じてしまう場合がある。これに対し、本発明の駆動方法では、黒を表示していた画素に黒を書き込むことはないので上述したような階調間の差は発生しない。
【００３６】
加えて、画像の書き換えが、第１部分書換ステップ及び第２部分書換ステップの２ステップによって行われるため、第１階調の書き込み及び第２階調の書き込み回数を等しくできる。よって、例えば電気泳動素子の劣化を低減することが可能となる。但し、画像の書き換えが第１階調及び第２階調のいずれか一方の階調のみの書き換えで済む場合には、第１部分書換ステップ及び第２部分書換ステップの一方を省略することも可能である。
【００３７】
本発明では、第１部分書換ステップが終了し、第２部分書換ステップが開始されるまでは、書換領域の全ての画素において第２階調が表示される。即ち、書込領域には、第２階調によるベタ画像が表示される。これにより、書き換えの途中において部分的に書き換えられた画像が表示されてしまうことを防止することができる。
【００３８】
以上説明したように、本発明の第３の電気泳動表示装置の駆動方法によれば、表示する画像の部分的な書き換えを可能とすることで、消費電力及び劣化の低減を実現しつつ、高品質な画像を表示させることができる。
【００３９】
本発明の第３の電気泳動表示装置の駆動方法の一態様では、前記第１及び第２部分書換ステップにおいて、前記表示部の前記書換領域を除く領域に含まれる画素における画素電極は、前記共通電位と同一の電位が供給される又はハイインピーダンス状態とされる。
【００４０】
この態様によれば、表示部の前記書換領域を除く領域に含まれる画素における画素電極では、第１及び第２部分書換ステップにおいて、共通電極との電位差が発生しない。よって、消費電力を低減することができると共に、各電極間に電位差が生じることに起因する表示部の劣化を低減することができる。また、階調が維持されるべき画素を書き換えることによって生じるちらつきや、キックバック（即ち、電位の供給を停止させた直後における階調の変化）によるコントラストの低下等も防止することができる。
【００４１】
上述した本態様における効果は、表示部における書換領域の割合が小さい場合に顕著に発揮される。よって、例えば画像を書き換える領域が表示部のごく一部であるような場合には、極めて有効である。
【００４２】
本発明の電気泳動表示装置は上記課題を解決するために、上述した本発明の第１から第３のいずれかの電気泳動表示装置の駆動方法によって駆動される。
【００４３】
本発明の電気泳動表示装置によれば、上述した本発明に係る電気泳動表示装置の駆動方法によって駆動されるため、同様に消費電力及び劣化の低減を実現しつつ、高品質な画像を表示させる可能である。
【００４４】
本発明の電子機器は上記課題を解決するために、上述した本発明の電気泳動表示装置（但し、その各種態様も含む）を備える。
【００４５】
本発明の電子機器によれば、上述した本発明に係る電気泳動表示装置を具備してなるので、消費電力及び劣化の低減を実現しつつ、高品質な表示を行うことが可能な、例えば、腕時計、電子ペーパー、電子ノート、携帯電話、携帯用オーディオ機器などの各種電子機器を実現できる。
【００４６】
本発明の作用及び他の利得は次に説明する実施するための最良の形態から明らかにされる。
【発明を実施するための最良の形態】
【００４７】
以下では、本発明の実施形態について図を参照しつつ説明する。
【００４８】
＜電気泳動表示装置＞
先ず、本実施形態に係る電気泳動表示装置における電気泳動パネルの全体構成について、図１及び図２を参照して説明する。
【００４９】
図１は、本実施形態に係る電気泳動表示パネルの全体構成を示すブロック図である。
【００５０】
図１において、本実施形態に係る電気泳動表示パネル１は、その主要な構成要素として表示部３、走査線駆動回路６０及びデータ線駆動回路７０を備えている。
【００５１】
表示部３には、ｍ行×ｎ列分の画素２０がマトリクス状（二次元平面的）に配列されている。また、表示部３には、ｍ本の走査線４０（即ち、走査線Ｙ１、Ｙ２、…、Ｙｍ）と、ｎ本のデータ線５０（即ち、データ線Ｘ１、Ｘ２、…、Ｘｎ）とが互いに交差するように設けられている。具体的には、ｍ本の走査線４０は、行方向（即ち、Ｘ方向）に延在し、ｎ本のデータ線５０は、列方向（即ち、Ｙ方向）に延在している。ｍ本の走査線４０とｎ本のデータ線５０との交差に対応して画素２０が配置されている。
【００５２】
走査線駆動回路６０は、タイミング信号に基づいて、走査線Ｙ１、Ｙ２、…、Ｙｍの各々に走査信号をパルス的に順次供給する。データ線駆動回路７０は、タイミング信号に基づいて、データ線Ｘ１、Ｘ２、…、Ｘｎに画像信号を供給する。画像信号は、高電位レベル（以下「ハイレベル」という。例えば５Ｖ）又は低電位レベル（以下「ローレベル」という。例えば０Ｖ）の２値的なレベルをとる。
【００５３】
ここに、各画素２０は、高電位電源線９１、低電位電源線９２、共通電位線９３、第１の制御線９４及び第２の制御線９５に電気的に接続されている。高電位電源線９１、低電位電源線９２、共通電位線９３、第１の制御線９４及び第２の制御線９５は夫々、典型的には図１中に示すように行方向（Ｘ方向）に沿って配列する画素２０からなる画素列毎に、画素列に属する画素２０に共通に配線される。
【００５４】
図２は、画素の電気的な構成を示す等価回路図である。
【００５５】
図２において、画素２０は、画素スイッチング用トランジスタ２４と、メモリ回路２５と、スイッチ回路１１０と、画素電極２１と、共通電極２２と、電気泳動素子２３とを備えている。
【００５６】
画素スイッチング用トランジスタ２４は、一例としてＮ型トランジスタで構成されている。画素スイッチング用トランジスタ２４は、そのゲートが走査線４０に電気的に接続されており、そのソースがデータ線５０に電気的に接続されており、そのドレインがメモリ回路２５の入力端子Ｎ１に電気的に接続されている。画素スイッチング用トランジスタ２４は、データ線駆動回路７０（図１参照）からデータ線５０を介して供給される画像信号を、走査線駆動回路６０（図１参照）から走査線４０を介してパルス的に供給される走査信号に応じたタイミングで、メモリ回路２５の入力端子Ｎ１に出力する。
【００５７】
メモリ回路２５は、一例としてインバータ回路２５ａ及び２５ｂを有しており、ＳＲＡＭ（Static Random Access Memory）として構成されている。
【００５８】
インバータ回路２５ａ及び２５ｂは、互いの入力端子に他方の出力端子が電気的に接続されたループ構造を有している。即ち、インバータ回路２５ａの入力端子とインバータ回路２５ｂの出力端子とが互いに電気的に接続され、インバータ回路２５ｂの入力端子とインバータ回路２５ａの出力端子とが互いに電気的に接続されている。インバータ回路２５ａの入力端子が、メモリ回路２５の入力端子Ｎ１として構成されており、インバータ回路２５ａの出力端子が、メモリ回路２５の出力端子Ｎ２として構成されている。
【００５９】
インバータ回路２５ａは、Ｎ型トランジスタ２５ａ１及びＰ型トランジスタ２５ａ２を有している。Ｎ型トランジスタ２５ａ１及びＰ型トランジスタ２５ａ２のゲートは、メモリ回路２５の入力端子Ｎ１に電気的に接続されている。Ｎ型トランジスタ２５ａ１のソースは、低電位電源電位Ｖｓｓが供給される低電位電源線９２に電気的に接続されている。Ｐ型トランジスタ２５ａ２のソースは、高電位電源電位ＶＥＰが供給される高電位電源線９１に電気的に接続されている。Ｎ型トランジスタ２５ａ１及びＰ型トランジスタ２５ａ２のドレインは、メモリ回路２５の出力端子Ｎ２に電気的に接続されている。
【００６０】
インバータ回路２５ｂは、Ｎ型トランジスタ２５ｂ１及びＰ型トランジスタ２５ｂ２を有している。Ｎ型トランジスタ２５ｂ１及びＰ型トランジスタ２５ｂ２のゲートは、メモリ回路２５の出力端子Ｎ２に電気的に接続されている。Ｎ型トランジスタ２５ｂ１のソースは、低電位電源電位Ｖｓｓが供給される低電位電源線９２に電気的に接続されている。Ｐ型トランジスタ２５ｂ２のソースは、高電位電源電位ＶＥＰが供給される高電位電源線９１に電気的に接続されている。Ｎ型トランジスタ２５ｂ１及びＰ型トランジスタ２５ｂ２のドレインは、メモリ回路２５の入力端子Ｎ１に電気的に接続されている。
【００６１】
メモリ回路２５は、その入力端子Ｎ１にハイレベルの画像信号が入力されると、その出力端子Ｎ２から低電位電源電位Ｖｓｓを出力し、その入力端子Ｎ１にローレベルの画像信号が入力されると、その出力端子Ｎ２から高電位電源電位ＶＥＰを出力する。即ち、メモリ回路２５は、入力された画像信号がハイレベルであるかローレベルであるかに応じて、低電位電源電位Ｖｓｓ又は高電位電源電位ＶＥＰを出力する。言い換えれば、メモリ回路２５は、入力された画像信号を、低電位電源電位Ｖｓｓ又は高電位電源電位ＶＥＰとして記憶可能に構成されている。
【００６２】
高電位電源線９１及び低電位電源線９２は、電源回路２１０からそれぞれ高電位電源電位ＶＥＰ及び低電位電源電位Ｖｓｓが供給可能に構成されている。高電位電源線９１は、スイッチ９１ｓを介して電源回路２１０に電気的に接続されており、低電位電源線９２は、スイッチ９２ｓを介して電源回路２１０に電気的に接続されている。スイッチ９１ｓ及び９２ｓは、コントローラ１０によってオン状態とオフ状態とが切り替えられるように構成されている。スイッチ９１ｓがオン状態とされることで、高電位電源線９１と電源回路２１０とが電気的に接続され、スイッチ９１ｓがオフ状態とされることで、高電位電源線９１は電気的に切断されたハイインピーダンス状態とされる。スイッチ９２ｓがオン状態とされることで、低電位電源線９２と電源回路２１０とが電気的に接続され、スイッチ９２ｓがオフ状態とされることで、低電位電源線９２は電気的に切断されたハイインピーダンス状態とされる。
【００６３】
スイッチ回路１１０は、第１のトランスミッションゲート１１１及び第２のトランスミッションゲート１１２を備えている。
【００６４】
第１のトランスミッションゲート１１１は、Ｐ型トランジスタ１１１ｐ及びＮ型トランジスタ１１１ｎを備えている。Ｐ型トランジスタ１１１ｐ及びＮ型トランジスタ１１１ｎのソースは、第１の制御線９４に電気的に接続されている。Ｐ型トランジスタ１１１ｐ及びＮ型トランジスタ１１１ｎのドレインは、画素電極２１に電気的に接続されている。Ｐ型トランジスタ１１１ｐのゲートは、メモリ回路２５の入力端子Ｎ１に電気的に接続されており、Ｎ型トランジスタ１１１ｎのゲートは、メモリ回路２５の出力端子Ｎ２に電気的に接続されている。
【００６５】
第２のトランスミッションゲート１１２は、Ｐ型トランジスタ１１２ｐ及びＮ型トランジスタ１１２ｎを備えている。Ｐ型トランジスタ１１２ｐ及びＮ型トランジスタ１１２ｎのソースは、第２の制御線９５に電気的に接続されている。Ｐ型トランジスタ１１２ｐ及びＮ型トランジスタ１１２ｎのドレインは、画素電極２１に電気的に接続されている。Ｐ型トランジスタ１１２ｐのゲートは、メモリ回路２５の出力端子Ｎ２に電気的に接続されており、Ｎ型トランジスタ１１２ｎのゲートは、メモリ回路２５の入力端子Ｎ１に電気的に接続されている。
【００６６】
スイッチ回路１１０は、メモリ回路２５に入力される画像信号に応じて、第１の制御線９４及び第２の制御線９５のいずれか一方の制御線を択一的に選択して、その一方の制御線を画素電極２１に電気的に接続する。
【００６７】
具体的には、メモリ回路２５の入力端子Ｎ１にハイレベルの画像信号が入力されると、メモリ回路２５からＮ型トランジスタ１１１ｎ及びＰ型トランジスタ１１２ｐのゲートに低電位電源電位Ｖｓｓが出力されると共に、Ｐ型トランジスタ１１１ｐ及びＮ型トランジスタ１１２ｎのゲートに高電位電源電位ＶＥＰが出力されることにより、第２のトランスミッションゲート１１２を構成するＰ型トランジスタ１１２ｐ及びＮ型トランジスタ１１２ｎのみがオン状態となり、第１のトランスミッションゲート１１１を構成するＰ型トランジスタ１１１ｐ及びＮ型トランジスタ１１１ｎはオフ状態となる。一方、メモリ回路２５の入力端子Ｎ１にローレベルの画像信号が入力されると、メモリ回路２５からＮ型トランジスタ１１１ｎ及びＰ型トランジスタ１１２ｐのゲートに高電位電源電位ＶＥＰが出力されると共に、Ｐ型トランジスタ１１１ｐ及びＮ型トランジスタ１１２ｎのゲートに低電位電源電位Ｖｓｓが出力されることにより、第１のトランスミッションゲート１１１を構成するＰ型トランジスタ１１１ｐ及びＮ型トランジスタ１１１ｎのみがオン状態となり、第２のトランスミッションゲート１１２を構成するＰ型トランジスタ１１２ｐ及びＮ型トランジスタ１１２ｎはオフ状態となる。つまり、メモリ回路２５の入力端子Ｎ１にハイレベルの画像信号が入力された場合には、第２のトランスミッションゲート１１２のみがオン状態となり、一方、メモリ回路２５の入力端子Ｎ１にローレベルの画像信号が入力された場合には、第１のトランスミッションゲート１１１のみがオン状態となる。
【００６８】
複数の画素２０の各々の画素電極２１は、スイッチ回路１１０によって画像信号に応じて択一的に選択された第１の制御線９４又は第２の制御線９５に電気的に接続される。その際、複数の画素２０の各々の画素電極２１は、スイッチ９４ｓ又は９５ｓのオンオフ状態に応じて、電位Ｓ１又は電位Ｓ２が供給される、或いはハイインピーダンス状態とされる。
【００６９】
画素電極２１は、電気泳動素子２３を介して共通電極２２と互いに対向するように配置されている。共通電極２２は、共通電位Ｖｃｏｍが供給される共通電位線９３に電気的に接続されている。共通電位線９３は、電位回路２１０から共通電位Ｖｃｏｍが供給可能に構成されている。共通電位線９３は、スイッチ９３ｓを介して共通電位供給回路２２０に電気的に接続されている。スイッチ９３ｓは、コントローラ１０によってオン状態とオフ状態とが切り替えられるように構成されている。スイッチ９３ｓがオン状態とされることで、共通電位線９３と共通電位供給回路２２０とが電気的に接続され、スイッチ９３ｓがオフ状態とされることで、共通電位線９３は電気的に切断されたハイインピーダンス状態とされる。
【００７０】
本実施形態では、第１の制御線９４は電位Ｓ１として共通電位Ｖｃｏｍを供給する。また、第２の制御線９５は電位Ｓ２として、第１の電位ＨＩ（例えば１５Ｖ）及び第２の電位ＬＯ（例えば０Ｖ）を供給する。尚、第１の制御線９４及び第２の制御線９５は、夫々が共通電位Ｖｃｏｍ、第１の電位ＨＩ及び第２の電位ＬＯを供給するように構成されてもよい。即ち、第１の制御線９４及び第２の制御線９５によって、共通電位Ｖｃｏｍ、第１の電位ＨＩ及び第２の電位ＬＯの３種類の電位を供給できればよい。尚、上述した各電位の切替えは、例えば第１の制御線９４及び第２の制御線９５が接続される電位回路２１０によって行われる。
【００７１】
上述した電位を供給する際には、ローレベルの画像信号が供給される画素２０については、第１のトランスミッションゲート１１１のみがオン状態となり、その画素２０の画素電極２１は、第１の制御線９４に電気的に接続され、スイッチ９４ｓのオンオフ状態に応じて電源回路２１０から電位Ｓ１が供給され、又は、ハイインピーダンス状態とされる。一方、ハイレベルの画像信号が供給される画素２０については、第２のトランスミッションゲート１１２のみがオン状態となり、その画素２０の画素電極２１は、第２の制御線９５に電気的に接続され、スイッチ９５ｓのオンオフ状態に応じて電源回路２１０から電位Ｓ２が供給され、又は、ハイインピーダンス状態とされる。
【００７２】
電気泳動素子２３は、電気泳動粒子をそれぞれ含んでなる複数のマイクロカプセルから構成されている。
【００７３】
次に、本実施形態に係る電気泳動表示パネルの表示部の具体的な構成について、図３及び図４を参照して説明する。
【００７４】
図３は、本実施形態に係る電気泳動表示パネルの表示部の部分断面図である。
【００７５】
図３において、表示部３は、素子基板２８と対向基板２９との間に電気泳動素子２３が挟持される構成となっている。尚、本実施形態では、対向基板２９側に画像を表示することを前提として説明する。
【００７６】
素子基板２８は、例えばガラスやプラスチック等からなる基板である。素子基板２８上には、ここでは図示を省略するが、図２を参照して上述した画素スイッチング用トランジスタ２４、メモリ回路２５、スイッチ回路１１０、走査線４０、データ線５０、高電位電源線９１、低電位電源線９２、共通電位線９３、第１の制御線９４、第２の制御線９５等が作り込まれた積層構造が形成されている。この積層構造の上層側に複数の画素電極２１がマトリクス状に設けられている。
【００７７】
対向基板２９は、例えばガラスやプラスチック等からなる透明な基板である。対向基板２９における素子基板２８との対向面上には、共通電極２２が複数の画素電極９ａと対向してベタ状に形成されている。共通電極２２は、例えばマグネシウム銀（ＭｇＡｇ）、インジウム・スズ酸化物（ＩＴＯ）、インジウム・亜鉛酸化物（ＩＺＯ）等の透明導電材料から形成されている。
【００７８】
電気泳動素子２３は、電気泳動粒子をそれぞれ含んでなる複数のマイクロカプセル８０から構成されており、例えば樹脂等からなるバインダー３０及び接着層３１によって素子基板２８及び対向基板２９間で固定されている。尚、本実施形態に係る電気泳動表示パネル１は、製造プロセスにおいて、電気泳動素子２３が予め対向基板２９側にバインダー３０によって固定されてなる電気泳動シートが、別途製造された、画素電極２１等が形成された素子基板２８側に接着層３１によって接着されている。
【００７９】
マイクロカプセル８０は、画素電極２１及び共通電極２２間に挟持され、１つの画素２０内に（言い換えれば、１つの画素電極２１に対して）１つ又は複数配置されている。
【００８０】
図４は、マイクロカプセルの構成を示す模式図である。尚、図４では、マイクロカプセルの断面を模式的に示している。
【００８１】
図４において、マイクロカプセル８０は、被膜８５の内部に分散媒８１と、複数の白色粒子８２と、複数の黒色粒子８３とが封入されてなる。マイクロカプセル８０は、例えば、５０ｕｍ程度の粒径を有する球状に形成されている。尚、白色粒子８２及び黒色粒子８３は、本発明に係る「電気泳動粒子」の一例である。
【００８２】
被膜８５は、マイクロカプセル８０の外殻として機能し、ポリメタクリル酸メチル、ポリメタクリル酸エチル等のアクリル樹脂、ユリア樹脂、アラビアゴム等の透光性を有する高分子樹脂から形成されている。
【００８３】
分散媒８１は、白色粒子８２及び黒色粒子８３をマイクロカプセル８０内（言い換えれば、被膜８５内）に分散させる媒質である。分散媒８１としては、水や、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ペンタン、ヘキサン、オクタン等の脂肪族炭化水素、シクロヘキサン、メチルシクロヘキサン等の脂環式炭化水素、ベンゼン、トルエンや、キシレン、ヘキシルベンゼン、へブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１、２−ジクロロエタン等のハロゲン化炭化水素、カルボン酸塩やその他の油類を単独で又は混合して用いることができる。また、分散媒８１には、界面活性剤が配合されてもよい。
【００８４】
白色粒子８２は、例えば、二酸化チタン、亜鉛華（酸化亜鉛）、三酸化アンチモン等の白色顔料からなる粒子（高分子或いはコロイド）であり、例えば負に帯電されている。
【００８５】
黒色粒子８３は、例えば、アニリンブラック、カーボンブラック等の黒色顔料からなる粒子（高分子或いはコロイド）であり、例えば正に帯電されている。
【００８６】
このため、白色粒子８２及び黒色粒子８３は、画素電極２１と共通電極２２との間の電位差によって発生する電場によって、分散媒８１中を移動することができる。
【００８７】
これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００８８】
図３及び図４において、画素電極２１と共通電極２２との間に、相対的に共通電極２２の電位が高くなるように電圧が印加された場合には、正に帯電された黒色粒子８３はクーロン力によってマイクロカプセル８０内で画素電極２１側に引き寄せられると共に、負に帯電された白色粒子８２はクーロン力によってマイクロカプセル８０内で共通電極２２側に引き寄せられる。この結果、マイクロカプセル８０内の表示面側（即ち、共通電極２２側）に白色粒子８２が集まることで、表示部３の表示面にこの白色粒子８２の色（即ち、白色）を表示することができる。逆に、画素電極２１と共通電極２２との間に、相対的に画素電極２１の電位が高くなるように電圧が印加された場合には、負に帯電された白色粒子８２がクーロン力によって画素電極２１側に引き寄せられると共に、正に帯電された黒色粒子８３はクーロン力によって共通電極２２側に引き寄せられる。この結果、マイクロカプセル８０の表示面側に黒色粒子８３が集まることで、表示部３の表示面にこの黒色粒子８３の色（即ち、黒色）を表示することができる。
【００８９】
尚、画素電極２１及び共通電極２２間における白色粒子８２及び黒色粒子８３の分布状態によって、白色と黒色との中間階調である、ライトグレー、グレー、ダークグレー等の灰色を表示することも可能である。また、白色粒子８２、黒色粒子８３に用いる顔料を、例えば赤色、緑色、青色等の顔料に代えることによって、赤色、緑色、青色等を表示することができる。
【００９０】
＜電気泳動表示装置の駆動方法＞
次に、上述した電気泳動表示装置を駆動する際の駆動方法について、図５から図１５を参照して説明する。
【００９１】
＜第１実施形態＞
先ず、第１実施形態に係る電気泳動表示装置の駆動方法について、図５から図１１を参照して説明する。
【００９２】
図５は、書き換え前の画像及び書き換え後の画像の一例を示す平面図である。
【００９３】
図５に示すように、本実施形態では、表示部３に表示される画像が、図の左側に示す画像Ｐ１から図の右側に示す画像Ｐ２に書き換えられる場合を例にとり説明する。即ち、白い背景に描かれた縦方向の黒い帯が、横方向の帯へと変化する場合を例にとる。
【００９４】
図６は、書き換え前の階調及び書き換え後の階調の各々に応じて、画像を概念的な領域別に示す平面図である。
【００９５】
図６において、表示部３に表示される画像は、書き換え前の階調及び書き換え後の階調の各々に応じて、４つの領域に分けて考えることができる。具体的には、書き換え前の画像Ｐ１において白を表示している画素であって、書き換え後の画像Ｐ２において黒を表示する画素からなる領域Ｒｗｂ、書き換え前の画像Ｐ１において白を表示している画素であって、書き換え後の画像Ｐ２において白を表示する画素からなる領域Ｒｗｗ、書き換え前の画像Ｐ１において黒を表示している画素であって、書き換え後の画像Ｐ２において白を表示する画素からなる領域Ｒｂｗ、書き換え前の画像Ｐ１において黒を表示している画素であって、書き換え後の画像Ｐ２において黒を表示する画素からなる領域Ｒｂｂに分けることができる。
【００９６】
本実施形態では、画像の書き換えは、以下のように、第１部分書換ステップ及び第２部分書換ステップの２つの部分書換ステップにより行われる。
【００９７】
図７は、第１部分書換ステップにおける駆動方法を領域別に示す概念図であり、図８は、第１部分書換ステップ後の画像を示す平面図である。
【００９８】
図７及び図８に示すように、第１部分書換ステップにおいては、領域Ｒｗｗ、領域Ｒｗｂ及び領域Ｒｂｂに対応する画素電極２１に対して、電位Ｓ１として共通電位Ｖｃｏｍが供給される。即ち、電源回路２１０から出力された共通電位Ｖｃｏｍが、第１の制御線９４を介して供給される。よって、領域Ｒｗｗ、領域Ｒｗｂ及び領域Ｒｂｂにおける画素では、画素電極２１及び共通電極２２間の電位差が発生しない。従って、画素の階調はそのまま維持される。他方で、領域Ｒｂｗに対応する画素電極２１に対しては、電位Ｓ２として第２の電位ＬＯが供給される。即ち、電源回路２１０から出力された第２の電位ＬＯが、第２の制御線９５を介して供給される。第２の電位ＬＯ（例えば０Ｖ）は白に対応しており（つまり、第２の電位ＬＯとされた画素電極２１と、共通電位Ｖｃｏｍが供給されることで第１の電位ＨＩとされた共通電極２２との間では、例えば負に帯電された白色粒子８２は、共通電極２２側に移動すると共に例えば正に帯電された黒色粒子８３は画素電極２１側に移動するので）、領域Ｒｂｗにおける画素の階調は黒から白に書き換えられる。
【００９９】
図９は、第２部分書換ステップにおける駆動方法を領域別に示す概念図であり、図１０は、第２部分書換ステップ後の画像を示す平面図である。
【０１００】
図９及び図１０に示すように、第２部分書換ステップにおいては、領域Ｒｗｗ、領域Ｒｂｗ及び領域Ｒｂｂに対応する画素電極２１に対して、電位Ｓ１として共通電位Ｖｃｏｍが供給される。即ち、電源回路２１０から出力された共通電位Ｖｃｏｍが、第１の制御線９４を介して供給される。よって、領域Ｒｗｗ、領域Ｒｂｗ及び領域Ｒｂｂにおける画素では、画素電極２１及び共通電極２２間の電位差が発生しない。従って、画素の階調はそのまま維持される。他方で、領域Ｒｗｂに対応する画素電極２１に対しては、電位Ｓ２として第１の電位ＨＩが供給される。即ち、電源回路２１０から出力された第１の電位ＨＩが、第２の制御線９５を介して供給される。第１の電位ＨＩ（例えば１５Ｖ）は黒に対応しており（つまり、第１の電位ＨＩとされた画素電極２１と、共通電位Ｖｃｏｍが供給されることで第２の電位ＬＯとされた共通電極２２との間では、例えば正に帯電された黒色粒子８３は、共通電極２２側に移動すると共に例えば負に帯電された白色粒子８２は画素電極２１側に移動するので）、領域Ｒｗｂにおける画素の階調は白から黒に書き換えられる。
【０１０１】
上述したように、画像Ｐ１は画像Ｐ２へと２段階に分けて書き換えられる。以下では、各ステップにおいて画素電極２１に供給される電位について説明する。
【０１０２】
図１１は、画像書き換え時において各画素に供給される電位をステップ毎に示す波形図である。尚、図１１では、画像が書き込まれる際の波形のみを図示しており、画像データがメモリ回路２５（図２参照）等に書き込まれる際の波形等については省略して図示してある。即ち、実際には第１部分書換ステップ及び第２部分書換ステップが行われるのに先だって、画像データがメモリ回路２５に書き込まれている。
【０１０３】
図１１に示すように、共通電極２２には、第１部分書き込みステップ及び第２部分書き込みステップともに共通電位Ｖｃｏｍが供給されている。尚、本実施形態では、共通電位Ｖｃｏｍの電位の値が所定期間毎に変動するような駆動（所謂、コモン振り駆動）が行われている。但し、コモン振り駆動は、あくまで駆動方法の一例であり、例えば共通電位Ｖｃｏｍは一定であっても構わない。
【０１０４】
電位Ｓ１としては、共通電位Ｖｃｏｍと同一の電位が供給されている。電位Ｓ２としては、第１部分書換ステップにおいては、白を表示させるための第２の電位ＬＯが供給され、第２部分書換ステップにおいては、黒を表示させるための第１の電位ＨＩが供給されている。
【０１０５】
白から黒へと書き換えられる領域Ｒｗｂに対応する画素電極２１には、第１部分書換ステップにおいて共通電位Ｖｃｏｍ（即ち、電位Ｓ１）が供給され、第２部分書換ステップにおいて第１の電位ＨＩ（即ち、電位Ｓ２）が供給される。黒から白へと書き換えられる領域Ｒｂｗに対応する画素電極２１には、第１部分書換ステップにおいて第２の電位ＬＯ（即ち、電位Ｓ２）が供給され、第２部分書換ステップにおいて共通電位Ｖｃｏｍ（即ち、電位Ｓ１）が供給される。白で階調が維持される領域Ｒｗｗ及び黒で階調が維持される領域Ｒｂｂに対応する画素電極２１には、夫々第１部分書換ステップ及び第２部分書換ステップともに共通電位Ｖｃｏｍ（即ち、電位Ｓ１）が供給される。
【０１０６】
上述したように、第１部分書換ステップ及び第２部分書換ステップの２段階のステップによって書き換えを行えば、白から黒へと書き換えられるべき第１画素及び黒から白へと書き換えられるべき第２画素は、共に書き換えられるべき階調へと書き換えられる。また、第１画素及び第２画素以外の階調を維持すべき画素については、画素電極２１及び共通電極２２間に電位差が発生しないため、階調が変化されない。よって、表示部３に表示されている画像は、確実に表示すべき画像へと書き換えられる。
【０１０７】
尚、第１部分書換ステップ及び第２部分書換ステップにおいて、階調が変化しない画素２０における画素電極２１は、共通電位Ｖｃｏｍと同一の電位が供給されることに代えて、電気的に切断されたハイインピーダンス状態とされてもよい。このようにすれば、上述した共通電位Ｖｃｏｍと同一の電位を供給する場合と同様に、階調を維持すべき画素２０における共通電極２２及び画素電極２１間に電位差を生じさせないようにすることが可能である。よって、表示されている階調を維持させることができる。
【０１０８】
本実施形態では特に、上述したように、階調が変化するべき画素については画像が書き換えられ、階調が維持されるべき画素については画像が書き換えられない。即ち、画像の書き換えは部分的に行われる。よって、消費電力を低減することができると共に、各電極間に電位差が生じることに起因する表示部の劣化を低減することができる。また、階調が維持されるべき画素を書き換えることによって生じるちらつきや、キックバックによるコントラストの低下等も防止することができる。
【０１０９】
本実施形態では更に、画素に同一階調を連続して書き込むことによって、同一階調間に差が生じてしまうことを防止できる。例えば、黒を表示していた画素に黒を書き込んだものと、白を表示させていた画素に黒を書き込んでいたものとでは、階調に差が生じてしまう場合がある。これに対し、本実施形態に係る駆動方法では、黒を表示していた画素に黒を書き込むことはないので上述したような階調間の差は発生しない。
【０１１０】
加えて、画像の書き換えが、第１部分書換ステップ及び第２部分書換ステップの２ステップによって行われるため、第１階調の書き込み及び第２階調の書き込み回数を等しくできる。よって、例えば電気泳動素子８０の劣化を低減することが可能となる。但し、画像の書き換えが第１階調及び第２階調のいずれか一方の階調のみの書き換えで済む場合には、第１部分書換ステップ及び第２部分書換ステップの一方を省略することも可能である。
【０１１１】
また、第１部分書換ステップ及び第２部分書換ステップの２ステップ間における、各画素に対する階調の書き換えは、１回で足りる。このため、２回以上の書き換えを行う場合と比較して、例えば電気泳動素子８０の劣化、又は画素電極２１若しくは共通電極２２の劣化に起因する電気泳動装置の劣化を低減することが可能となる。
【０１１２】
以上説明したように、第１実施形態に係る電気泳動表示装置の駆動方法によれば、表示する画像の部分的な書き換えを可能とすることで、消費電力及び劣化の低減を実現しつつ、高品質な画像を表示させることができる。
【０１１３】
＜第２実施形態＞
次に、第２実施形態に係る電気泳動表示装置の駆動方法について、図１２から図１５を参照して説明する。尚、第２実施形態は、上述の第１実施形態と比べて、領域を分割する方法等が異なり、その他の駆動方法については概ね同様である。このため第２実施形態では、第１実施形態と異なる部分について詳細に説明し、その他の重複する部分については適宜説明を省略する。また第２実施形態においても、図５に示す画像Ｐ１が画像Ｐ２に書き換えられる場合を例にとり説明する。
【０１１４】
図１２は、書き換え前の階調及び書き換え後の階調の各々に応じて、画像を概念的な領域別に示す平面図である。
【０１１５】
図１２において、第２実施形態に係る電気泳動表示装置の駆動方法では、書き換えによって階調が変わる領域（即ち、領域Ｒｗｂ及び領域Ｒｂｗ）を含む部分領域Ｒｄにおいて、画像が部分的に書き換えられる。部分領域Ｒｄは、書き換え前の画像Ｐ１において白を表示している画素であって、書き換え後の画像Ｐ２において黒を表示する画素からなる領域Ｒｗｂ、書き換え前の画像Ｐ１において白を表示している画素であって、書き換え後の画像Ｐ２において白を表示する画素からなる領域Ｒｗｗ、書き換え前の画像Ｐ１において黒を表示している画素であって、書き換え後の画像Ｐ２において白を表示する画素からなる領域Ｒｂｗ、書き換え前の画像Ｐ１において黒を表示している画素であって、書き換え後の画像Ｐ２において黒を表示する画素からなる領域Ｒｂｂに分けることができる。尚、ここでは、部分領域Ｒｄに含まれない領域を領域Ｒｒｅとする。
【０１１６】
図１３は、第１部分書換ステップにおける駆動方法を領域別に示す概念図である。
【０１１７】
図１３に示すように、第１部分書換ステップにおいては、部分領域Ｒｄにおける領域Ｒｗｂ及び領域Ｒｂｂ、並びに領域Ｒｒｅに対応する画素電極２１に対して、電位Ｓ１として共通電位Ｖｃｏｍが供給される。よって、領域Ｒｗｂ及び領域Ｒｂｂ、並びに領域Ｒｒｅにおける画素では、画素電極２１及び共通電極２２間の電位差が発生しない。従って、画素の階調はそのまま維持される。他方で、領域Ｒｂｗ及び領域Ｒｗｗに対応する画素電極２１に対しては、電位Ｓ２として第２の電位ＬＯが供給される。第２の電位ＬＯは白に対応しており、領域Ｒｂｗ及び領域Ｒｗｗにおける画素の階調は黒から白に書き換えられる。この結果、表示部３に表示される画像は、図８に示したような画像に書き換えられる。
【０１１８】
図１４は、第２部分書換ステップにおける駆動方法を領域別に示す概念図である。
【０１１９】
図１４に示すように、第２部分書換ステップにおいては、部分領域Ｒｄにおける領域Ｒｂｗ及び領域Ｒｗｗ、並びに領域Ｒｒｅに対応する画素電極２１に対して、電位Ｓ１として共通電位Ｖｃｏｍが供給される。よって、領域Ｒｂｗ及び領域Ｒｗｗ、並びに領域Ｒｒｅにおける画素では、画素電極２１及び共通電極２２間の電位差が発生しない。従って、画素の階調はそのまま維持される。他方で、領域Ｒｗｂ及び領域Ｒｂｂに対応する画素電極２１に対しては、電位Ｓ２として第１の電位ＨＩが供給される。第１の電位ＨＩは黒に対応しており、領域Ｒｗｂ及び領域Ｒｂｂにおける画素の階調は白から黒に書き換えられる。この結果、表示部３に表示される画像は、図１０に示したような画像に書き換えられる。
【０１２０】
上述したように、画像Ｐ１は画像Ｐ２へと２段階に分けて書き換えられる。以下では、各ステップにおいて画素電極２１に供給される電位について説明する。
【０１２１】
図１５は、画像書き換え時において各画素に供給される電位をステップ毎に示す波形図である。尚、図１５では、画像が書き込まれる際の波形のみを図示しており、画像データがメモリ回路等に書き込まれる際の波形等については省略して図示してある。
【０１２２】
図１５に示すように、共通電極２２には、第１部分書き込みステップ及び第２部分書き込みステップともに共通電位Ｖｃｏｍが供給されている。電位Ｓ１としては、共通電位Ｖｃｏｍと同一の電位が供給されている。電位Ｓ２としては、第１部分書換ステップにおいては、白を表示させるための第２の電位ＬＯが供給され、第２部分書換ステップにおいては、黒を表示させるための第１の電位ＨＩが供給されている。
【０１２３】
第２実施形態に係る駆動方法では特に、部分領域Ｒｄにおける白から黒へと書き換えられる領域Ｒｗｂに対応する画素電極２１には、第１部分書換ステップにおいて共通電位Ｖｃｏｍ（即ち、電位Ｓ１）が供給され、第２部分書換ステップにおいて第１の電位ＨＩ（即ち、電位Ｓ２）が供給される。黒から白へと書き換えられる領域Ｒｂｗに対応する画素電極２１には、第１部分書換ステップにおいて第２の電位ＬＯ（即ち、電位Ｓ２）が供給され、第２部分書換ステップにおいて共通電位Ｖｃｏｍ（即ち、電位Ｓ１）が供給される。白から白へと書き換えられる領域Ｒｗｗに対応する画素電極２１には、領域Ｒｂｗに対応する画素電極２１と同様に、第１部分書換ステップにおいて第２の電位ＬＯ（即ち、電位Ｓ２）が供給され、第２部分書換ステップにおいて共通電位Ｖｃｏｍ（即ち、電位Ｓ１）が供給される。黒から黒へと書き換えられる領域Ｒｂｂに対応する画素電極２１には、領域Ｒｗｂに対応する画素電極２１と同様に、第１部分書換ステップにおいて共通電位Ｖｃｏｍ（即ち、電位Ｓ１）が供給され、第２部分書換ステップにおいて第１の電位ＨＩ（即ち、電位Ｓ２）が供給される。
【０１２４】
上述したように、第１部分書換ステップ及び第２部分書換ステップの２段階のステップによって書き換えを行えば、部分領域Ｒｄに対応する画素を、確実に書き換えられるべき階調へと書き換えることができる。第２実施形態では特に、領域Ｒｗｗ及び領域Ｒｂｂについても画像が書き込まれるため、例えば第１実施形態のように、書き込み前の画像Ｐ１（図５参照）を記憶していなくとも書き換えが可能である。
【０１２５】
また、部分領域Ｒｄに含まれない領域Ｒｒｅに対応する画素については、画素電極２１及び共通電極２２間に電位差が発生しないため、階調が変化されない。よって、領域Ｒｒｅに対応する画素が駆動されない分、消費電力を低減することができると共に、各電極間に電位差が生じることに起因する表示部の劣化を低減することができる。また、階調が維持されるべき画素を書き換えることによって生じるちらつきや、キックバックによるコントラストの低下等も防止することができる。第２実施形態では更に、部分領域Ｒｄに含まれない領域Ｒｒｅに対応する画素において、画素に同一階調を連続して書き込むことによって、同一階調間に差が生じてしまうことを防止できる。
【０１２６】
上述した駆動方法は、特に限られた領域において高い頻度で書き換えが行われる際に有効である。具体的には、例えば時計として時刻を表示させる場合のように、画像が変化する部分が決まっている場合に顕著に効果が発揮される。
【０１２７】
以上説明したように、第２実施形態に係る電気泳動表示装置の駆動方法によれば、上述した第１実施形態と同様に、表示する画像の部分的な書き換えを可能とすることで、消費電力及び劣化の低減を実現しつつ、高品質な画像を表示させることができる。
【０１２８】
＜第３実施形態＞
次に、第３実施形態に係る電気泳動表示装置の駆動方法について、図１６から図１８を参照して説明する。尚、第３実施形態は、上述の第１及び第２実施形態と比べて、階調を変化させる画素が異なり、その他の駆動方法については概ね同様である。このため第３実施形態では、上述した実施形態と異なる部分について詳細に説明し、その他の重複する部分については適宜説明を省略する。また第３実施形態においても、図５に示す画像Ｐ１が画像Ｐ２に書き換えられる場合を例にとり説明する。
【０１２９】
図１６は、第３実施形態に係る、第１部分書換ステップにおける駆動方法を領域別に示す概念図である。
【０１３０】
図１６に示すように、第３実施形態に係る電気泳動表示装置の駆動方法では、第１部分書換ステップにおいて、白を表示している画素であって、書き換え後に白を表示すべき領域（即ち、図６における領域Ｒｗｗ）、及び白を表示している領域であって、書き換え後に黒を表示すべき領域（即ち、図６における領域Ｒｗｂ）に対応する画素電極２１に対して、電位Ｓ１として共通電位Ｖｃｏｍが供給される。即ち、電源回路２１０から出力された共通電位Ｖｃｏｍが、第１の制御線９４を介して供給される。よって、領域Ｒｗｗ、領域Ｒｗｂにおける画素では、画素電極２１及び共通電極２２間の電位差が発生しない。従って、画素の階調はそのまま維持される。他方で、黒を表示している画素であって、書き換え後に黒を表示すべき領域（即ち、図６における領域Ｒｂｂ）、及び黒を表示している領域であって、書き換え後に白を表示すべき領域（即ち、図６における領域Ｒｂｗ）に対応する画素電極２１に対しては、電位Ｓ２として第２の電位ＬＯが供給される。即ち、電源回路２１０から出力された第２の電位ＬＯが、第２の制御線９５を介して供給される。第２の電位ＬＯ（例えば０Ｖ）は白に対応しており、領域Ｒｂｂ及び領域Ｒｂｗにおける画素の階調は夫々黒から白に書き換えられる。
【０１３１】
第１部分書換ステップでは、黒を表示していた領域Ｒｂｂ及び領域Ｒｂｗが共に白を表示するように書き換えられるため、第１部分書換ステップが終了した時点で表示される画像は全白画像となる。
【０１３２】
図１７は、第３実施形態に係る、第２部分書換ステップにおける駆動方法を領域別に示す概念図である。
【０１３３】
続いて、第２部分書換ステップにおいては、領域Ｒｗｗ、及び領域Ｒｂｗに対応する画素電極２１に対して、電位Ｓ１として共通電位Ｖｃｏｍが供給される。よって、領域Ｒｗｗ、領域Ｒｂｗにおける画素では、画素電極２１及び共通電極２２間の電位差が発生しない。従って、画素の階調はそのまま維持される。他方で、領域Ｒｂｂ、及び領域Ｒｗｂに対応する画素電極２１に対しては、電位Ｓ２として第１の電位ＨＩが供給される。第１の電位ＨＩ（例えば１５Ｖ）は黒に対応しており、領域Ｒｂｂ及び領域Ｒｗｂにおける画素の階調は夫々白から黒に書き換えられる。
【０１３４】
上述したように、図５に示した画像Ｐ１は、第１部分書換ステップ及び第２部分書換ステップの２段階に分けて画像Ｐ２へと書き換えられる。以下では、各ステップにおいて画素電極２１に供給される電位について説明する。
【０１３５】
図１８は、第３実施形態に係る、画像書き換え時において各画素に供給される電位をステップ毎に示す波形図である。尚、図１８では、画像が書き込まれる際の波形のみを図示しており、画像データがメモリ回路等に書き込まれる際の波形等については省略して図示してある。
【０１３６】
図１８に示すように、共通電極２２には、第１部分書き込みステップ及び第２部分書き込みステップともに共通電位Ｖｃｏｍが供給されている。電位Ｓ１としては、共通電位Ｖｃｏｍと同一の電位が供給されている。電位Ｓ２としては、第１部分書換ステップにおいては、白を表示させるための第２の電位ＬＯが供給され、第２部分書換ステップにおいては、黒を表示させるための第１の電位ＨＩが供給されている。
【０１３７】
第３実施形態では特に、白から黒へと書き換えられる領域Ｒｗｂに対応する画素電極２１には、第１部分書換ステップにおいて共通電位Ｖｃｏｍ（即ち、電位Ｓ１）が供給され、第２部分書換ステップにおいて第１の電位ＨＩ（即ち、電位Ｓ２）が供給される。黒から白へと書き換えられる領域Ｒｂｗに対応する画素電極２１には、第１部分書換ステップにおいて第２の電位ＬＯ（即ち、電位Ｓ２）が供給され、第２部分書換ステップにおいて共通電位Ｖｃｏｍ（即ち、電位Ｓ１）が供給される。白で階調が維持される領域Ｒｗｗに対応する画素電極２１には、第１部分書換ステップ及び第２部分書換ステップともに共通電位Ｖｃｏｍ（即ち、電位Ｓ１）が供給される。黒で階調が維持される領域Ｒｂｂに対応する画素電極２１には、第１部分書換ステップにおいて第２の電位ＬＯ（即ち、電位Ｓ２）が供給され、第２部分書換ステップにおいて第１の電位ＨＩ（即ち、電位Ｓ２）が供給される。
【０１３８】
上述したように、第１部分書換ステップ及び第２部分書換ステップの２段階のステップによって書き換えを行えば、白から黒へと書き換えられるべき画素及び黒から白へと書き換えられるべき画素を、夫々書き換えられるべき階調へと書き換えることができる。また、黒を維持すべき画素においては、第１部分書換ステップにおいて一旦白へと書き換えられるが、第２部分書換ステップにおいて再び黒へと書き換えられる。他方で、白を維持すべき画素については、画素電極２１及び共通電極２２間に電位差が発生しないため、階調が変化されない。よって、表示部３に表示されている画像は、確実に表示すべき画像へと書き換えられる。
【０１３９】
本実施形態では特に、上述したように、白を維持すべき画素においては画像が書き換えられない。よって、消費電力を低減することができると共に、各電極間に電位差が生じることに起因する表示部の劣化を低減することができる。また、階調が維持されるべき画素を書き換えることによって生じるちらつきや、キックバックによるコントラストの低下等も防止することができる。加えて、第１部分書換ステップが終了した時点では全白画像が表示されるため、書き換えの途中において部分的に書き換えられた画像が表示されてしまうことを防止することができる。
【０１４０】
本実施形態では更に、画素に同一階調を連続して書き込むことによって、同一階調間に差が生じてしまうことを防止できる。例えば、黒を表示していた画素に黒を書き込んだものと、白を表示させていた画素に黒を書き込んでいたものとでは、階調に差が生じてしまう場合がある。これに対し、本実施形態に係る駆動方法では、黒を表示していた画素に黒を書き込むことはないので上述したような階調間の差は発生しない。
【０１４１】
加えて、画像の書き換えが、第１部分書換ステップ及び第２部分書換ステップの２ステップによって行われるため、第１階調の書き込み及び第２階調の書き込み回数を等しくできる。よって、例えば電気泳動素子８０の劣化、及び画素電極２１若しくは共通電極２２の劣化に起因する電気泳動装置の劣化を低減することが可能となる。但し、画像の書き換えが第１階調及び第２階調のいずれか一方の階調のみの書き換えで済む場合には、第１部分書換ステップ及び第２部分書換ステップの一方を省略することも可能である。
【０１４２】
以上説明したように、第３実施形態に係る電気泳動表示装置の駆動方法によれば、上述した第１及び第２実施形態と同様に、表示する画像の部分的な書き換えを可能とすることで、消費電力及び劣化の低減を実現しつつ、高品質な画像を表示させることができる。
【０１４３】
＜第４実施形態＞
次に、第４実施形態に係る電気泳動表示装置の駆動方法について、図１９から図２１を参照して説明する。尚、第４実施形態は、上述の第３実施形態と比べて、画像表示領域全体が書換領域とされない点で異なり、その他の駆動方法については概ね同様である。このため第４実施形態では、上述した第３実施形態と異なる部分について詳細に説明し、その他の重複する部分については適宜説明を省略する。また第４実施形態においても、図５に示す画像Ｐ１が画像Ｐ２に書き換えられる場合を例にとり説明する。
【０１４４】
図１９は、第４実施形態に係る、第１部分書換ステップにおける駆動方法を領域別に示す概念図であり、図２０は、第４実施形態に係る、第２部分書換ステップにおける駆動方法を領域別に示す概念図である。
【０１４５】
図１９及び図２０に示すように、第４実施形態に係る電気泳動表示装置の駆動方法では、上述した第３実施形態と同様に領域Ｒｗｗ、領域Ｒｗｂ、領域Ｒｂｂ及び領域Ｒｂｗ（以下、適宜「書換領域」と称する）に含まれる画素が夫々制御される。また、書換領域を除く領域Ｒｎｏ（以下、適宜「非書換領域」と称する）に含まれる画素における画素電極２１には、第１部分書換ステップ及び第２部分書換ステップ共に共通電位Ｖｃｏｍ（即ち、電位Ｓ１）が供給される。
【０１４６】
図２１は、第４実施形態に係る、画像書き換え時において各画素に供給される電位をステップ毎に示す波形図である。尚、図２１では、画像が書き込まれる際の波形のみを図示しており、画像データがメモリ回路等に書き込まれる際の波形等については省略して図示してある。
【０１４７】
図２１に示すように、共通電極２２には、第１部分書き込みステップ及び第２部分書き込みステップともに共通電位Ｖｃｏｍが供給されている。電位Ｓ１としては、共通電位Ｖｃｏｍと同一の電位が供給されている。電位Ｓ２としては、第１部分書換ステップにおいては、白を表示させるための第２の電位ＬＯが供給され、第２部分書換ステップにおいては、黒を表示させるための第１の電位ＨＩが供給されている。
【０１４８】
書換領域に含まれる画素において、白から黒へと書き換えられる領域Ｒｗｂに対応する画素電極２１には、第１部分書換ステップにおいて共通電位Ｖｃｏｍ（即ち、電位Ｓ１）が供給され、第２部分書換ステップにおいて第１の電位ＨＩ（即ち、電位Ｓ２）が供給される。黒から白へと書き換えられる領域Ｒｂｗに対応する画素電極２１には、第１部分書換ステップにおいて第２の電位ＬＯ（即ち、電位Ｓ２）が供給され、第２部分書換ステップにおいて共通電位Ｖｃｏｍ（即ち、電位Ｓ１）が供給される。白で階調が維持される領域Ｒｗｗに対応する画素電極２１には、第１部分書換ステップ及び第２部分書換ステップともに共通電位Ｖｃｏｍ（即ち、電位Ｓ１）が供給される。黒で階調が維持される領域Ｒｂｂに対応する画素電極２１には、第１部分書換ステップにおいて第２の電位ＬＯ（即ち、電位Ｓ２）が供給され、第２部分書換ステップにおいて第１の電位ＨＩ（即ち、電位Ｓ２）が供給される。
【０１４９】
第４実施形態に係る駆動方法では特に、上述したように、非書換領域Ｒｎｏに含まれる画素における画素電極２１には、第１部分書換ステップ及び第２部分書換ステップ共に共通電位Ｖｃｏｍ（即ち、電位Ｓ１）が供給される。よって、非書換領域Ｒｎｏにおける画素では、画素電極２１及び共通電極２２間の電位差が発生しない。従って、画素の階調はそのまま維持される。
【０１５０】
上述した駆動によれば、表示部３に表示されている画像を、確実に表示すべき画像へと書き換えられることに加えて、非書換領域Ｒｎｏにおける書き換えを行わなくて済む分、消費電力を低減することができる。更に、各電極間に電位差が生じることに起因する表示部の劣化を低減したり、階調が維持されるべき画素を書き換えることによって生じるちらつきや、キックバックによるコントラストの低下等も防止することもできる。このような駆動方法は、上述した第２実施形態と同様に、限られた領域において高い頻度で書き換えが行われる際に有効である。
【０１５１】
以上説明したように、第４実施形態に係る電気泳動表示装置の駆動方法によれば、上述した第１から第３実施形態と同様に、表示する画像の部分的な書き換えを可能とすることで、消費電力及び劣化の低減を実現しつつ、高品質な画像を表示させることができる。
【０１５２】
＜電子機器＞
次に、上述した電気泳動表示装置を適用した電子機器について、図２２及び図２３を参照して説明する。以下では、上述した電気泳動表示装置を電子ペーパー及び電子ノートに適用した場合を例にとる。
【０１５３】
図２２は、電子ペーパー１４００の構成を示す斜視図である。
【０１５４】
図２２に示すように、電子ペーパー１４００は、上述した実施形態に係る電気泳動表示装置を表示部１４０１として備えている。電子ペーパー１４００は可撓性を有し、従来の紙と同様の質感及び柔軟性を有する書き換え可能なシートからなる本体１４０２を備えて構成されている。
【０１５５】
図２３は、電子ノート１５００の構成を示す斜視図である。
【０１５６】
図２３に示すように、電子ノート１５００は、図２２で示した電子ペーパー１４００が複数枚束ねられ、カバー１５０１に挟まれているものである。カバー１５０１は、例えば外部の装置から送られる表示データを入力するための表示データ入力手段（図示せず）を備える。これにより、その表示データに応じて、電子ペーパーが束ねられた状態のまま、表示内容の変更や更新を行うことができる。
【０１５７】
上述した電子ペーパー１４００及び電子ノート１５００は、上述した実施形態に係る電気泳動表示装置を備えるので、消費電力及び劣化を低減しつつ、高品質な画像表示を行うことが可能である。
【０１５８】
尚、これらの他に、腕時計、携帯電話、携帯用オーディオ機器などの電子機器の表示部に、上述した本実施形態に係る電気泳動表示装置を適用することができる。
【０１５９】
本発明は、上述した実施形態に限られるものではなく、特許請求の範囲及び明細書全体から読み取れる発明の要旨或いは思想に反しない範囲で適宜変更可能であり、そのような変更を伴う電気泳動表示装置の駆動方法、電気泳動表示装置及び該電気泳動表示装置を備えてなる電子機器もまた本発明の技術的範囲に含まれるものである。
【図面の簡単な説明】
【０１６０】
【図１】実施形態に係る電気泳動表示パネルの全体構成を示すブロック図である。
【図２】画素の電気的な構成を示す等価回路図である。
【図３】実施形態に係る電気泳動表示パネルの表示部の部分断面図である。
【図４】マイクロカプセルの構成を示す模式図である。
【図５】書き換え前の画像及び書き換え後の画像の一例を示す平面図である。
【図６】第１実施形態に係る、書き換え前の階調及び書き換え後の階調の各々に応じて、画像を概念的な領域別に示す平面図である。
【図７】第１実施形態に係る、第１部分書換ステップにおける駆動方法を領域別に示す概念図である。
【図８】第１部分書換ステップ後の画像を示す平面図である。
【図９】第１実施形態に係る、第２部分書換ステップにおける駆動方法を領域別に示す概念図である。
【図１０】第２部分書換ステップ後の画像を示す平面図である。
【図１１】第１実施形態に係る、画像書き換え時において各画素に供給される電位をステップ毎に示す波形図である。
【図１２】第２実施形態に係る、書き換え前の階調及び書き換え後の階調の各々に応じて、画像を概念的な領域別に示す平面図である。
【図１３】第２実施形態に係る、第１部分書換ステップにおける駆動方法を領域別に示す概念図である。
【図１４】第２実施形態に係る、第２部分書換ステップにおける駆動方法を領域別に示す概念図である。
【図１５】第２実施形態に係る、画像書き換え時において各画素に供給される電位をステップ毎に示す波形図である。
【図１６】第３実施形態に係る、第１部分書換ステップにおける駆動方法を領域別に示す概念図である。
【図１７】第３実施形態に係る、第２部分書換ステップにおける駆動方法を領域別に示す概念図である。
【図１８】第３実施形態に係る、画像書き換え時において各画素に供給される電位をステップ毎に示す波形図である。
【図１９】第４実施形態に係る、第１部分書換ステップにおける駆動方法を領域別に示す概念図である。
【図２０】第４実施形態に係る、第２部分書換ステップにおける駆動方法を領域別に示す概念図である。
【図２１】第４実施形態に係る、画像書き換え時において各画素に供給される電位をステップ毎に示す波形図である。
【図２２】電気泳動表示装置を適用した電子機器の一例たる電子ペーパーの構成を示す斜視図である。
【図２３】電気泳動表示装置を適用した電子機器の一例たる電子ノートの構成を示す斜視図である。
【符号の説明】
【０１６１】
１０…コントローラ、２０…画素、２１…画素電極、２２…共通電極、２３…電気泳動素子、２４…画素スイッチング用トランジスタ、２５…メモリ回路、２８…素子基板、２９…対向基板、８０…マイクロカプセル、８２…白色粒子、８３…黒色粒子、１１０…スイッチ回路、２１０…電源回路
【図１】
0005125974.tif 000002
【図２】
0005125974.tif 000003
【図３】
0005125974.tif 000004
【図４】
0005125974.tif 000005
【図５】
0005125974.tif 000006
【図６】
0005125974.tif 000007
【図７】
0005125974.tif 000008
【図８】
0005125974.tif 000009
【図９】
0005125974.tif 000010
【図１０】
0005125974.tif 000011
【図１１】
0005125974.tif 000012
【図１２】
0005125974.tif 000013
【図１３】
0005125974.tif 000014
【図１４】
0005125974.tif 000015
【図１５】
0005125974.tif 000016
【図１６】
0005125974.tif 000017
【図１７】
0005125974.tif 000018
【図１８】
0005125974.tif 000019
【図１９】
0005125974.tif 000020
【図２０】
0005125974.tif 000021
【図２１】
0005125974.tif 000022
【図２２】
0005125974.tif 000023
【図２３】
0005125974.tif 000024